(57)【要約】【課題】装着中に吸収性物品が横ズレしても、排出された尿を凹溝側に伝い流れるように流動方向を制御するとともに、凹溝の貯留容積の拡大を図ることにより、横漏れさせずに吸収体に素早く尿を吸収させるようにする。【解決手段】肌側の面に長手方向に沿って少なくとも１条の尿流入用の凹溝２２が形成された吸収性物品において、前記凹溝２２の横断面形状は、(1)前記凹溝の底面部の深さをｈとしたとき、凹溝の底部縁Ｇから凹溝の窪みが始まる上部縁Ｋまでの距離Ｓとの関係が１．５ｈ＜Ｓであること。(2)前記凹溝の底面幅をｂとしたとき、凹溝を跨いで両側の上部縁Ｋ、Ｋ間の距離で表される集液エリアの幅Ｂとの関係がＢ≧３ｂであること。(3)前記凹溝の底面幅ｂと底面部深さｈとの積で表される凹溝を矩形溝とした場合の面積をａとしたとき、凹溝の断面積Ａとの関係がＡ≧２ａであることの条件を満たすように形成される。【選択図】図４
2016049199.tif 000002
【特許請求の範囲】
【請求項１】
透液性表面シートと裏面シートとの間に吸収体が介在されるとともに、肌側の面に長手方向に沿って少なくとも１条の尿流入用の凹溝が形成された吸収性物品において、
前記凹溝の横断面形状は、下記(1)〜(3)の条件式を満たし、
(1)前記凹溝の底面部の深さをｈとしたとき、凹溝の底部縁Ｇから凹溝の窪みが始まる上部縁Ｋまでの距離Ｓとの関係が１．５ｈ＜Ｓであること。
(2)前記凹溝の底面幅をｂとしたとき、凹溝を跨いで両側の上部縁Ｋ、Ｋ間の距離で表される集液エリアの幅Ｂとの関係がＢ≧３ｂであること。
(3)前記凹溝の底面幅ｂと底面部深さｈとの積で表される凹溝を矩形溝とした場合の面積をａとしたとき、凹溝の断面積Ａとの関係がＡ≧２ａであること。
かつ、前記凹溝は底部の吸収体密度ρ１が圧搾を受けていない周辺の一般部吸収体の密度ρ２の１．５倍以上であることを特徴とする吸収性物品。
【請求項２】
前記吸収体は、前記透液性表面シート側の面に、吸収体の長手方向に沿うとともに、尿排出部位を含む長手方向範囲に亘って、圧搾によることなく形成された吸収体凹部を備え、前記透液性表面シートを積層した状態で、前記透液性表面シートの表面側から前記吸収体凹部の底面に対してエンボスを付与することによって前記凹溝が形成されており、
前記エンボスを付与する前の状態で、前記凹溝底部の吸収体目付けβ１は、圧搾を受けていない一般部吸収体の目付けβ２の５５％以下である請求項１記載の吸収性物品。
【請求項３】
前記吸収性物品は、肌面側の両側部にそれぞれ立体ギャザーを備えており、立体ギャザーの起立端内々寸法をＷとしたとき、前記集液エリアの幅Ｂは前記立体ギャザーの起立端内々寸法Ｗの１／３以上である請求項１、２いずれかに記載の吸収性物品。
【請求項４】
前記凹溝の長手方向の長さが１００〜１８０mmであり、前記凹溝の底面幅ｂが５〜３０mmである請求項１〜３いずれかに記載の吸収性物品。
【発明の詳細な説明】
【技術分野】
【０００１】
本発明は、主には失禁パッド、使い捨ておむつ等に使用される吸収性物品に係り、肌側の面に長手方向に沿って少なくとも１条の尿流入用の凹溝が形成された吸収性物品に関する。
【背景技術】
【０００２】
従来より、前記吸収性物品として、ポリエチレンシートまたはポリエチレンシートラミネート不織布などの不透液性裏面シートと、不織布または透液性プラスチックシートなどの透液性表面シートとの間に吸収体を介在したものが知られている。
【０００３】
この種の吸収性物品にも幾多の改良が重ねられ、特に失禁パッドなどのように一度にドッと出る尿を小さな面積で受け止め、素早く拡散させるための、一時貯留及び尿拡散手段の一つとして、表面側に長手方向に沿って凹溝を形成したものが種々提案されている。
【０００４】
例えば下記特許文献１では、肌当接面を構成する表面シート、非肌当接面を構成する裏面シート、および両シート間に介在される吸収層を備えている吸収性物品であって、吸収層は、面積が異なる上部吸収層と下部吸収層とが積層され、該吸収層には、段差が形成されており、表面シート及び吸収層に一体的に、吸収性物品の長手方向に延びる凹部が形成された吸収性物品が開示されている。
【先行技術文献】
【特許文献】
【０００５】
【特許文献１】特開２００８−１７３２４７号公報
【発明の概要】
【発明が解決しようとする課題】
【０００６】
前記特許文献１記載の吸収性物品に形成された前記凹部は、比較的に細幅で長手方向に沿って形成された凹部であるため、尿が少量の場合は、尿の拡散・吸収に対して大きな効果を発揮するものの、一度に大量の尿が排出された場合は、凹部に流入する尿量が少なく表面を伝わって横漏れする心配があった。また、前記凹部は細い幅で形成されているため、装着中に吸収性物品が少しでも横ズレしていると、身体の排出部から位置ズレしてしまい凹部に直接、尿が排出されず凹部の外に尿が排出される。その結果、尿が中心側方向と外側方向とに拡散し、外側方向に流れた尿が横漏れを起こしてしまうことがあった。
【０００７】
そこで、本発明の主たる課題は、液性表面シートと裏面シートとの間に吸収体が介在されるとともに、肌側の面に長手方向に沿って少なくとも１条の尿流入用の凹溝が形成された吸収性物品において、装着中に吸収性物品が横ズレしても、排出された尿を凹溝側に伝い流れるように流動方向を制御するとともに、凹溝の貯留容積の拡大を図ることにより、横漏れさせずに吸収体に素早く尿を吸収させるようにした吸収性物品を提供することにある。
【課題を解決するための手段】
【０００８】
上記課題を解決するために請求項１に係る本発明として、透液性表面シートと裏面シートとの間に吸収体が介在されるとともに、肌側の面に長手方向に沿って少なくとも１条の尿流入用の凹溝が形成された吸収性物品において、
前記凹溝の横断面形状は、下記(1)〜(3)の条件式を満たし、
(1)前記凹溝の底面部の深さをｈとしたとき、凹溝の底部縁Ｇから凹溝の窪みが始まる上部縁Ｋまでの距離Ｓとの関係が１．５ｈ＜Ｓであること。
(2)前記凹溝の底面幅をｂとしたとき、凹溝を跨いで両側の上部縁Ｋ、Ｋ間の距離で表される集液エリアの幅Ｂとの関係がＢ≧３ｂであること。
(3)前記凹溝の底面幅ｂと底面部深さｈとの積で表される凹溝を矩形溝とした場合の面積をａとしたとき、凹溝の断面積Ａとの関係がＡ≧２ａであること。
【０００９】
かつ、前記凹溝は底部の吸収体密度ρ１が圧搾を受けていない周辺の一般部吸収体の密度ρ２の１．５倍以上であることを特徴とする吸収性物品が提供される。
【００１０】
上記請求項１記載の発明は、凹溝の横断面形状に特徴を有するものとなっている。具体的には、前記(1)〜(3)の条件式を満たす凹溝断面となっている。
【００１１】
先ず第１条件式(1)は、凹溝の横断面方向の影響領域、すなわち排出された尿が凹溝の底部側に流れるようにした集液エリアの幅Ｂを凹溝の深さｈとの関係で規定したものである。具体的には、前記凹溝の底面部の深さをｈとしたとき、凹溝の底部縁Ｇから凹溝の窪みが始まる上部縁Ｋまでの距離Ｓとの関係が１．５ｈ＜Ｓであると、前記集液エリア幅は２Ｓ＋ｂとなり、装着中に吸収性物品が横ズレしても、身体の尿排出部が前記集液エリア幅Ｂ内に位置している限り、排出された尿を凹溝底部側に伝い流れるように流動方向を制御することが可能となる。
【００１２】
次に、第２条件式(2)も同様であり、前記集液エリアの幅Ｂを凹溝の底面幅ｂとの関係で規定したものである。具体的には、前記凹溝の底面幅をｂとしたとき、凹溝を跨いで両側の上部縁Ｋ、Ｋ間の距離で表される集液エリアの幅Ｂとの関係がＢ≧３ｂであると、前記集液エリア幅として十分な幅が確保でき、装着中に吸収性物品が横ズレしても、排出された尿を凹溝側に伝い流れるように流動方向を制御することが可能となる。
【００１３】
更に、第３条件式(3)は、凹溝の貯留断面積Ａを凹溝を矩形状で形成した場合の貯留断面積ａとの関係で規定したものである。具体的には、前記凹溝の底面幅ｂと底面部深さｈとの積で表される凹溝を矩形溝とした場合の面積をａとしたとき、凹溝の断面積Ａとの関係がＡ≧２ａであると、凹溝の貯留容積として十分な容積を確保することができ、一度に大量の尿が排出された場合であっても、この尿を凹溝内に一旦収容した後、その後素早く吸収体に吸収させることが可能となる。
【００１４】
本発明では、更に前記凹溝は底部の吸収体密度ρ１が圧搾を受けていない周辺の一般部吸収体の密度ρ２の１．５倍以上であることを条件としている。従って、吸収体底部の吸収性密度を他よりも高くしているため、尿を素早く凹溝底部側に流動させ吸収体に吸収させることが可能となる。
【００１５】
請求項２に係る本発明として、前記吸収体は、前記透液性表面シート側の面に、吸収体の長手方向に沿うとともに、尿排出部位を含む長手方向範囲に亘って、圧搾によることなく形成された吸収体凹部を備え、前記透液性表面シートを積層した状態で、前記透液性表面シートの表面側から前記吸収体凹部の底面に対してエンボスを付与することによって前記凹溝が形成されており、
前記エンボスを付与する前の状態で、前記凹溝底部の吸収体目付けβ１は、圧搾を受けていない一般部吸収体の目付けβ２の５５％以下である請求項１記載の吸収性物品が提供される。
【００１６】
上記請求項２記載の発明は、吸収体に予め圧搾によることなく吸収体凹部を形成しておき、この吸収体凹部に前記透液性表面シートを積層した状態で、前記透液性表面シートの表面側から前記吸収体凹部の底面に対してエンボスを付与することによって前記凹溝が形成されるものとし、この際、前記エンボスを付与する前の状態で、前記凹溝底部の吸収体目付けβ１は、圧搾を受けていない一般部吸収体の目付けβ２の５５％以下とするものである。前記吸収体凹部は、吸収体を圧搾して形成することにより底部のポリマーやパルプが高密度となったものと比べて、尿吸収時の底部の盛り上がりが極めて小さく抑えられ、尿吸収後も凹溝の状態が維持できるようになる。
【００１７】
請求項３に係る本発明として、前記吸収性物品は、肌面側の両側部にそれぞれ立体ギャザーを備えており、立体ギャザーの起立端内々寸法をＷとしたとき、前記集液エリアの幅Ｂは前記立体ギャザーの起立端内々寸法Ｗの１／３以上である請求項１、２いずれかに記載の吸収性物品が提供される。
【００１８】
上記請求項３記載の発明は、立体ギャザーの起立端内々寸法Ｗとの関係で前記集液エリアの幅Ｂを規定したものである。具体的には、集液エリアの幅Ｂは前記立体ギャザーの起立端内々寸法Ｗの１／３以上とする。尿が吸収可能な幅である立体ギャザーの起立端内々寸法Ｗに対して１／３以上の幅で集液エリアの幅Ｂを形成することにより、より効果的に排出された尿の多くを凹溝内に流入させ、吸収体で吸収することが可能となる。
【００１９】
請求項４に係る本発明として、前記凹溝の長手方向の長さが１００〜１８０mmであり、前記凹溝の底面幅ｂが５〜３０mmである請求項１〜３いずれかに記載の吸収性物品が提供される。
【００２０】
上記請求項４記載の発明は、前記凹溝の長手方向長さ及び底面幅を規定したものである。具体的には、前記凹溝の長手方向の長さが１００〜１８０mmであり、前記凹溝の底面幅ｂが５〜３０mmとするのが望ましい。
【発明の効果】
【００２１】
以上詳説のとおり本発明によれば、装着中に吸収性物品が横ズレしても、排出された尿を凹溝側に伝い流れるように流動方向を制御するとともに、凹溝の貯留容積の拡大を図ることにより、横漏れさせずに吸収体に素早く尿を吸収させるようにした吸収性物品を提供することが可能となる。
【図面の簡単な説明】
【００２２】
【図１】本発明に係る失禁パッド１の一部破断展開図である。
【図２】図１のII−II線矢視図である。
【図３】図１のIII−III線矢視図である。
【図４】凹溝２２の横断面形状を模式的に示した横断面図である。
【図５】吸収体４の断面図である。
【図６】凹溝２２の拡大平面図である。
【図７】凹溝２２の(A)は変形前、(B)は変形後を示す、図６のVII−VII線矢視図である。
【図８】エンボスロールのエンボス凸部を示す断面図である。
【図９】他の形態例に係る凹溝２２の拡大平面図である。
【図１０】他の形態例に係る凹溝２２の拡大平面図である。
【図１１】第１エンボス２４のみとした場合の凹溝の拡大平面図である。
【図１２】凹溝の(A)は変形前、(B)は変形後を示す、図１１のXII-XII線矢視図である。
【図１３】(A)〜(C)は凹溝２２の他の実施例を示す失禁パッド１の展開図である。
【図１４】(A)〜(C)は凹溝２２の他の実施例を示す失禁パッド１の展開図である。
【図１５】(A)〜(F)は凹溝２２の他の実施例を示す失禁パッド１の展開図である。
【発明を実施するための形態】
【００２３】
以下、本発明の実施の形態（失禁パッド）について、図面を参照しながら詳述する。
【００２４】
〔失禁パッド１の基本構成〕
本発明に係る失禁パッド１は、図１〜図３に示されるように、ポリエチレンシートなどからなる不透液性裏面シート２と、尿などを速やかに透過させる透液性表面シート３と、これら両シート２、３間に介装された綿状パルプまたは合成パルプなどからなる吸収体４と、必要に応じて前記透液性表面シート３と吸収体４との間に配置される親水性のセカンドシート６と、前記吸収体４の略側縁部を起立基端とし、かつ少なくとも尿排出部位Ｈを含むように長手方向に所定の区間内において肌側に突出して設けられた左右一対の立体ギャザーＢＳ、ＢＳを形成するサイド不織布７、７とから主に構成され、かつ前記吸収体４の周囲においては、その長手方向端縁部では前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布７とがホットメルトなどの接着剤やヒートシール等の接着手段によって接合されている。前記吸収体４は、形状保持および拡散性向上のために、図示しないクレープ紙や不織布等の被包シートによって囲繞することができる。
【００２５】
以下、さらに前記失禁パッド１の構造について詳述すると、
前記不透液性裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００２６】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００２７】
前記吸収体４は、たとえばフラッフ状パルプ等の吸収性繊維と高吸水性ポリマー８とにより構成され、図示例では平面形状がパッド長手方向に長い縦長の略小判形とされている。前記高吸水性ポリマー８は例えば粒状粉とされ、吸収体４を構成するパルプ中に分散混入されている。
【００２８】
前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。図示しないが、吸収体４を被包シートで囲繞する場合には、結果的に透液性表面シート３と吸収体４との間に被包シートが介在することになり、吸収性に優れる前記被包シートによって尿を速やかに拡散させるとともに、これら尿等の逆戻りを防止するようになる。前記パルプの目付（圧搾されていない一般部（β２））は、１００g/m２〜６００g/m２、好ましくは２００g/m２〜５００g/m２とするのがよい。
【００２９】
前記高吸水性ポリマー８としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性ポリマーは製造プロセスにおいて、架橋密度および架橋密度勾配を調整することにより吸水力（吸収倍率）と吸水速度の調整が可能である。前記ポリマーの目付は、１５０g/m２〜５００g/m２、好ましくは２００g/m２〜４５０g/m２とするのがよい。
【００３０】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、尿に対する親和性を有するように、疎水性繊維の場合には親水化剤によって表面処理したものを用いるのが望ましい。
【００３１】
前記セカンドシート６は、尿に対して親水性を有するものであればよい。具体的には、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水化剤によって表面処理し親水性を付与した繊維を用いることができる。また、前記セカンドシート６は、コシを持たせるため、裏面側（吸収体４）に多孔のフィルム層を有していてもよく、また被包シートとの積層シートとしてもよく、更にはパルプを含む素材を用いてもよい。
【００３２】
本失禁パッド１の表面側両側部にはそれぞれ長手方向に沿って、かつ失禁パッド１の全長に亘ってサイド不織布７，７が設けられ、このサイド不織布７，７の外側部分が側方に延在されるとともに、前記不透液性裏面シート２が側方に延在され、これら側方に延在されたサイド不織布７部分と不透液性裏面シート２部分とをホットメルト接着剤等により接合して側部フラップが形成されている。
【００３３】
前記サイド不織布７としては、重要視する機能の点から撥水処理不織布または親水処理不織布を使用することができる。たとえば、尿等が浸透するのを防止する、あるいは肌触り感を高めるなどの機能を重視するならば、シリコン系、パラフィン系、アルキルクロミッククロリド系撥水剤などをコーティングしたＳＳＭＳやＳＭＳ、ＳＭＭＳなどの撥水処理不織布を用いるのが望ましく、尿の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるのが望ましい。かかるサイド不織布７としては、天然繊維、合成繊維または再生繊維などを素材として、適宜の加工法によって形成されたものを使用することができる。
【００３４】
前記サイド不織布７、７は、適宜に折り畳まれて、前記吸収体４の略側縁近傍位置を起立基端として肌側に起立する左右一対の内側立体ギャザー１０、１０と、相対的に前記内側立体ギャザー１０より外側に位置するとともに、前記吸収体４よりも側方に延出する不透液性裏面シート２及びサイド不織布７によって形成された肌側に起立する左右一対の外側立体ギャザー１１、１１とからなる２重ギャザー構造の立体ギャザーＢＳを構成している。なお、前記立体ギャザーＢＳは、内側立体ギャザー１０または外側立体ギャザー１１のいずれかのみからなる１重ギャザー構造であっても良いし、サイド不織布７を配設するだけで肌側に起立した立体ギャザー状に形成されなくてもよい。
【００３５】
前記内側立体ギャザー１０および外側立体ギャザー１１の構造についてさらに詳しく説明すると、前記サイド不織布７は、図２に示されるように、幅方向両側端をそれぞれパッド裏面側に折り返して幅方向内側及び幅方向外側にそれぞれ二重シート部分７ａ、７ｂを形成するとともに、前記幅方向内側の二重シート部分７ａ内部に両端または長手方向の適宜の位置が固定された１本または複数本の、図示例では１本の糸状弾性伸縮部材１２が配設されるとともに、前記幅方向外側の二重シート部分７ｂ内部に両端または長手方向の適宜の位置が固定された１本または複数本の、図示例では２本の糸状弾性伸縮部材１３、１３が配設され、前記幅方向内側の二重シート部分７ａの基端部が吸収体４の側部に配設される透液性表面シート３の上面にホットメルト接着剤等により接着されるとともに、幅方向外側の二重シート部分７ｂの基端部が前記吸収体４よりも側方に延出する不透液性裏面シート２の側端部にホットメルト接着剤等により接着されることにより、前記幅方向内側の二重シート部分７ａによって肌側に起立する内側立体ギャザー１０が形成されるとともに、前記幅方向外側の二重シート部分７ｂによって肌側に起立する外側立体ギャザー１１が形成されている。なお、前記サイド不織布７は、パッド長手方向の両端部では、図３に示されるように、前記糸状弾性伸縮部材１２、１３が配設されないとともに、前記幅方向内側の二重シート部分７ａがホットメルト接着剤等によって吸収体４側に接合されている。
【００３６】
〔凹溝２２〕
本形態例に係る失禁パッド１では、表面側（肌面側）に長手方向に沿って尿流入用の凹溝２２が１条形成されている。前記凹溝２２は、透液性表面シート３の表面に排出された尿を受け止めて、尿を一時貯留するとともに、前後方向に尿の拡散を誘導し、且つ吸収体４への尿の吸収速度を速め、横漏れを防止するためのものである。
【００３７】
前記凹溝２２は、透液性表面シート３の表面側から透液性表面シート３から吸収体４にかけての構成部材を一体的に圧搾することにより形成したものでもよいが、予め前記吸収体４に吸収体凹部２０を形成しておき、この吸収体凹部２０に沿って透液性表面シート３の表面側（肌面側）から吸収体４より上層の構成部材を圧搾するエンボス部２１を設けることにより形成したものの方が、脚圧による凹溝２２の変形が防止できるなどの理由から望ましい。
【００３８】
前記吸収体４には、前記エンボス部２１の形成前に予め、圧搾によることなく凹溝状又はスリット状に、図示例では凹溝状に形成された吸収体凹部２０が形成されている。この吸収体凹部２０は、圧搾によることなく、例えば図５に示されるように、(A)積繊、又は(B)吸収体凹部２０の底部の厚みで形成された下層吸収体４ａと、前記吸収体凹部２０に対応する部分が開口した上層吸収体４ｂとの積層構造などによって形成されている。
【００３９】
前記吸収体凹部２０は、図１に示されるように、吸収体４に対して、尿排出部位Ｈに対応するパッド幅方向の中央部であって長手方向の中間部に、１条のみ形成するのが好ましいが、失禁パッド１の幅方向に離間して複数条で形成したり、パッド長手方向に離間する不連続線状に形成するなど、種々の形態で形成することができる（図１３〜図１５参照）。なお、複数の吸収体凹部２０を設ける場合は、それぞれの吸収体凹部２０に対して前記エンボス部２１を設けるのが好ましい。
【００４０】
前記吸収体凹部２０の平面寸法は、パッド長手方向の長さが１００〜１８０mm、溝幅（底面の溝幅）が５〜３０mmとするのがよい。前記吸収体凹部２０を予め設けた上で凹溝２２を形成する場合、前記エンボス部２１を設ける前の前記吸収体凹部２０の深さは、一般部吸収体４の厚みの４５％以上、具体的には５〜８mm程度とするのがよい。
【００４１】
エンボス部２１を設ける前の前記吸収体凹部２０の底部（不透液性裏面シート２側の部分、非肌側の部分）に介在する吸収体４部分の目付けβ１（ポリマー含まず）は、７０g/m２〜２８０g/m２、好ましくは９０g/m２〜２６０g/m２とするのがよく、圧搾を受けていない一般部吸収体の目付けβ２（ポリマー含まず）の５５％以下、好ましくは４０〜５５％であることが望ましい。また、この部分の吸水性ポリマー８の目付は、０g/m２〜２７０g/m２、好ましくは０g/m２〜３５g/m２とするのがよい。
【００４２】
前記エンボス部２１を設ける場合の平面寸法は、吸収体凹部２０の寸法より大きくしてもよいし、小さくしてもよい。前記エンボス部２１の底面には、周辺の凹溝２２の底面より更に深く圧搾した高圧搾部２３が、適宜のパターンで形成されている。前記高圧搾部２３のパターンについては後述する。
【００４３】
＜凹溝２２の横断面形状＞
本形態例に係る失禁パッド１では、前記凹溝２２の横断面形状が、凹溝２２への流入を促す範囲の拡大を図ることにより、装着中に失禁パッド１が横ズレしても、排出された尿を凹溝２２側に伝い流れるように流動方向を制御するとともに、凹溝２２の貯留容積の拡大を図ることにより、横漏れさせずに吸収体４に素早く尿を吸収させるようになっている。
【００４４】
具体的には、前記凹溝２２の横断面形状は、図４に示される横断面図を参照しながら説明すると、下記(1)〜(3)の条件式を満たすようにする。
(1)前記凹溝２２の底面部の深さをｈとしたとき、凹溝２２の底部縁Ｇから凹溝２２の窪みが始まる上部縁Ｋまでの距離Ｓとの関係が１．５ｈ＜Ｓであること（第１条件式）。
(2)前記凹溝２２の底面幅をｂとしたとき、凹溝２２を跨いで両側の上部縁Ｋ、Ｋ間の距離で表される集液エリアの幅Ｂとの関係がＢ≧３ｂであること（第２条件式）。
(3)前記凹溝２２の底面幅ｂと底面部深さｈとの積で表される凹溝２２を矩形溝とした場合の面積をａとしたとき、凹溝２２の断面積Ａとの関係がＡ≧２ａであること（第３条件式）。
【００４５】
前記第１条件式(1)は、凹溝２２の横断面方向の影響領域、すなわち排出された尿が凹溝２２の底部側に流れるようにした集液エリアの幅（Ｂ）を凹溝２２の深さｈとの関係で規定したものである。従来の吸収性物品の尿流入用凹部は、比較的細い幅で形成されるものが多かったが、一度に大量の尿が排出された場合、凹部に流入する尿量が少なく表面を伝わって横漏れする心配があるとともに、装着中に吸収性物品が少しでも横ズレしていると、身体の排出部位から位置ズレしてしまい凹部に直接、尿が排出されず凹部の外に尿が排出される可能性があったが、本失禁パッド１の場合は、凹溝２２の上部開口の幅を幅方向にかなり拡げて形成するようにしている。具体的には、前記凹溝２２の底面部の深さをｈとしたとき、凹溝２２の底部縁Ｇから凹溝２２の窪みが始まる上部縁Ｋまでの距離Ｓとの関係が１．５ｈ＜Ｓ、好ましくは２ｈ＜Ｓであると、前記集液エリア幅Ｂは２Ｓ＋ｂとなり、装着中に失禁パッド１が横ズレしていても、身体の尿排出部が前記集液エリア幅Ｂ内に位置している限り、排出された尿を凹溝２２の底部側に伝い流れるように流動方向を制御することが可能となる。前記凹溝２２の底面部の深さｈ（高圧搾部２３以外の位置までの深さ）は、３〜２０mm、好ましくは７〜９mmとするのが望ましい。
【００４６】
なお、前記凹溝２２の底部縁Ｇから凹溝２２の窪みが始まる上部縁Ｋまでは、外側に若干突出する弧状傾斜面（図示例）或いは直線的な傾斜面とすることができる。
【００４７】
前記第２条件式(2)は、前記集液エリアの幅Ｂを凹溝の底面幅ｂとの関係で規定したものである。前記第１条件式(1)だけでは深さｈが小さい場合、十分な集液エリア幅Ｂを確保できないため、前記第１条件式(1)に加えて、第２条件式(2)によって集液エリア幅Ｂの寸法を規定している。具体的には、前記凹溝２２の底面幅をｂとしたとき、凹溝２２を跨いで両側の上部縁Ｋ、Ｋ間の距離で表される集液エリアの幅Ｂとの関係がＢ≧３ｂ、好ましくはＢ≧４ｂであると、前記集液エリア幅Ｂとして十分な幅が確保でき、装着中に失禁パッド１が横ズレしていても、身体の尿排出部が前記集液エリア幅Ｂ内に位置している限り、排出された尿を凹溝２２の底部側に伝い流れるように流動方向を制御することが可能となる。前記凹溝２２の底面幅ｂは、前述したように、５〜３０mmとするのが望ましいが、より望ましいのは１０〜２０mmである。
【００４８】
前記第３条件式(3)は、一度に大量の尿が排出された場合でも凹溝２２で収容できるように、凹溝２２の貯留断面積Ａを凹溝２２を矩形状で形成した場合の貯留断面積ａとの関係で規定したものである。具体的には、前記凹溝２２の底面幅ｂと底面部深さｈとの積で表される凹溝２２を矩形溝とした場合の面積をａとしたとき、凹溝２２の断面積Ａとの関係がＡ≧２ａであると、凹溝２２の貯留容積として十分な容積を確保することができ、一度に大量の尿が排出された場合であっても、この尿を凹溝２２内に一旦収容した後、その後素早く拡散させて吸収体４に吸収させることが可能となる。
【００４９】
更に、前記凹溝２２では、尿を素早く凹溝２２の底部側に流動させるようにするため、前記凹溝２２は底部の吸収体密度（ポリマー含まず）ρ１が圧搾を受けていない周辺の一般部吸収体の密度（ポリマー含まず）ρ２の１．５倍以上、好ましくは１．７倍以上であることを条件とする。吸収体密度の相対差は、凹溝２２の底部に対するエンボス部２１の形成や後述する高圧搾部２３の形成によって設けることができる。このような吸収体の密度差を設けることにより、尿を素早く凹溝２２の底部側に流動させ吸収体４に吸収させることが可能となる。前記凹溝２２の底部の吸収体密度ρ１としては、０．０６０〜０．１５０g/cm3、好ましくは、０．０７０〜０．１４０g/cm3とするのが望ましく、前記一般部吸収体密度ρ２としては、０．０２０〜０．０７０g/cm3、好ましくは、０．０３０〜０．０６０g/cm3とするのが望ましい。
【００５０】
さらには、立体ギャザーＢＳの起立端内々寸法をＷとしたとき、前記集液エリアの幅Ｂは前記立体ギャザーＢＳの起立端内々寸法Ｗの１／３以上、好ましくは１／２以上であることが望ましい。尿が吸収可能な幅である立体ギャザーＢＳの起立端内々寸法Ｗに対して１／３以上の幅で集液エリアの幅Ｂを形成することにより、より効果的に排出された尿の多くを凹溝２２内に流入させ、吸収体４で吸収することが可能となる。
【００５１】
＜凹溝２２の高圧搾部２３＞
以下、前記高圧搾部２３について説明する。前記高圧搾部２３は、周辺の凹溝２２の底面より更に深く圧搾された部分であり、凹溝２２の底面に所定のパターンで形成されている。具体的に、前記高圧搾部２３は、図６に示されるように、平面視で、凹溝２２を長手方向に区画した単位区間２６において、溝幅方向に延び溝長手方向に傾斜するとともに、前記凹溝２２の一方側の側端から他方側の側端まで横断して形成され、この単位区間２６を溝長手方向に繰り返し正反転させた、全体として前記凹溝２２に沿うとともに、前記凹溝２２の両側縁を往復するように幅方向両側に凹凸を繰り返すパターンで形成された波状の第１エンボス２４と、前記波状の第１エンボス２４が幅方向外側に突出する凸部２４ａ、２４ｂと対向する反対側の前記凹溝２２の側縁部に、前記凹溝２２に沿って形成された第２エンボス２５とから構成されている。
【００５２】
前記波状の第１エンボス２４は、凹溝２２の一方の側縁２２ａと他方の側縁２２ｂとの間を往復するのを繰り返す波状曲線、ジグザグ線（図９参照。）などの波状に形成された連続線からなるものである。前記波状の第１エンボス２４は、一方の側縁２２ａに向けて突出する凸部２４ａと、他方の側縁２２ｂに向けて突出する凸部２４ｂとが交互に繰り返し設けられている。また、前記波状の第１エンボス２４は、１本のエンボスラインが交差したり接続したりすることなく溝長手方向の同一方向に延びるように形成されている。従って、凹溝２２の底面にはエンボスラインによって囲まれた閉合した領域が設けられることがない。
【００５３】
前記波状の第１エンボス２４は、凹溝２２の全幅に亘って形成するのが好ましい。すなわち、第１エンボス２４は、凸部２４ａ、２４ｂの頂部が凹溝２２の側縁２２ａ、２２ｂに一致するか近接するようにする。これにより、凹溝２２を全幅に亘って補強でき、凹溝２２の幅方向両側からの圧力による潰れが確実に防止できるようになる。前記の近接するとは、凸部２４ａ、２４ｂの頂部が凹溝２２の側縁２２ａ、２２ｂより内側に２mm以下、好ましくは１mm以下の範囲に配置されることである。
【００５４】
前記波状の第１エンボス２４は、図６に示されるように、幅方向外側に膨出する丸みを帯びた曲線状に形成するのが望ましい。これにより、外方側からの圧力による潰れが確実に防止できるようになる。前記波状の第１エンボス２４は、全体として正弦波状に形成するのが望ましいが、半円弧を交互に逆向きにして連続させたパターンなどによって形成してもよい。
【００５５】
前記波状の第１エンボス２４の隣接する同一方向の凸部２４ａ、２４ａ間の距離Ｔ（波状の第１エンボス２４の周期）は、１６mm〜２５mm、好ましくは１８mm〜２２mmとするのがよい。これにより、凹溝２２が確実に補強できるとともに、表面材のシワやヨレ、破れが防止でき、操業性が向上する。前記波状の第１エンボス２４は、凹溝２２の全長に亘ってほぼ同一の距離Ｔで形成されている（ほぼ同一の周期で形成されている）。
【００５６】
一方、前記第２エンボス２５は、所定の範囲において前記凹溝２２の溝長手方向に沿って連続線状に形成された複数のエンボスである。前記第２エンボス２５が凹溝２２に沿って形成されるとは、エンボスの端部同士を結ぶ直線が概ね凹溝２２の溝長手方向に沿うことであり、この直線が溝長手方向線と平行する場合の他、この溝長手方向線に対し±２０°程度までの角度差を有するものも含まれる。また、長手方向に沿う線は、直線である必要はなく、曲線、折れ線、波線などで形成することも可能である。
【００５７】
前記第２エンボス２５は、波状の第１エンボス２４が幅方向外側に突出する凸部２４ａ、２４ｂと反対側の凹溝２２の側縁部に形成されている。すなわち、凹溝２２の一方の側縁２２ａに向けて突出する凸部２４ａでは、これと反対側の他方の側縁２２ｂに沿って第２エンボス２５が形成され、凹溝２２の他方の側縁２２ｂに向けて突出する凸部２４ｂでは、これと反対側の一方の側縁２２ａに沿って第２エンボス２５が形成されている。
【００５８】
前記第２エンボス２５は、外方側の縁部が凹溝２２の側縁２２ａ又は２２ｂと一致するか近接するように設けられている。前記の近接するとは、第２エンボス２５の外方側の縁部が凹溝２２の側縁２２ａ、２２ｂより内側に２mm以下、好ましくは１mm以下の範囲に配置されることである。これにより、前記波状の第１エンボス２４と同様に、凹溝２２を幅方向の広い範囲に亘って補強できるようになる。
【００５９】
前記波状の第１エンボス２４が凹溝２２の両側縁２２ａ、２２ｂを往復するように設けられるとともに、第２エンボス２５が凹溝２２の側縁２２ａ、２２ｂ部に設けられることにより、第１エンボス２４と第２エンボス２５とは溝長手方向に対して重なるように配置されている。これにより、前記波状の第１エンボス２４と第２エンボス２５とが溝幅方向に対し同等の位置で幅方向外方側からの脚圧に対して抵抗力を備えるようにしている。
【００６０】
前記第２エンボス２５は、前記波状の第１エンボス２４が凹部となる所定の範囲内において、凹溝２２の溝長手方向に沿う直線によって形成するのが好ましい。これによって、第２エンボス２５が凹溝２２の側縁に沿って設けられるため、この第２エンボス２５が設けられた側の外方側からの圧力に対してより広い範囲の補強が可能となる。
【００６１】
前記第２エンボス２５は、溝長手方向の中央部が前記波状の第１エンボス２４の各凸部２４ａ、２４ｂの頂部と溝幅方向に一致する位置に設けられている。つまり、波状の第１エンボス２４の各凸部２４ａ、２４ｂの頂部に、溝幅方向線を引いたとき、この溝幅方向線を境に溝長手方向の両側にそれぞれ同じ長さで形成されている。
【００６２】
また、本失禁パッド１では、前記波状の第１エンボス２４と第２エンボス２５とは接続せずそれぞれのエンボスラインが独立するように離間して形成されている。このため、前記高圧搾部２３は、凹溝２２に沿って連続する１本の第１エンボス２４が形成されるとともに、前記波状の第１エンボス２４の凹部となる部分にそれぞれ前記第２エンボス２５が配置されている。つまり、前記第２エンボス２５は、凹溝２２に対し、所定の位置に離間して複数設けられている。
【００６３】
図６に示されるように、前記波状の第１エンボス２４と第２エンボス２５との離間幅Ｃは、両エンボス間の直線距離が最短となる部分で、２mm以上５mm以下であるのが好ましい（２mm≦Ｃ≦５mm）。この離間幅Ｃが２mmより小さいと、エンボス圧搾時の圧力が分散されにくくシワなどが発生しやすいとともに、エンボスロールのこの隙間部分に紙粉などが入り込んで目詰まりしやすくなる。一方、前記離間幅Ｃが５mmより大きいと、波状の第１エンボス２４の凹部の強度が十分に補強できず、凹溝２２が潰れやすくなる。
【００６４】
以上詳述したように、本失禁パッド１では、凹溝２２の底面に前記波状の第１エンボス２４及び第２エンボス２５からなる高圧搾部２３が形成されている。仮に、前記波状の第１エンボス２４のみで高圧搾部を構成した場合、図１１及び図１２に示されるように、前記波状エンボスが形成されない凹部において幅方向外方側からの脚圧に対する抵抗力が弱くなるため、凹溝が潰れて凹溝の尿貯留容量が減少し尿が吸収体に吸収されにくくなる。これに対して、本失禁パッド１では、図７に示されるように、前記波状の第１エンボス２４の凹部に対応する部分に第２エンボス２５が設けられているため、幅方向両側からの脚圧に対して抵抗力が大きくなり、凹溝２２が潰れにくくなる。
【００６５】
また、本失禁パッド１では、前記波状の第１エンボス２４と第２エンボス２５とは接続せずそれぞれのエンボスラインが独立するように離間して形成されている。このため、凹溝２２の底面に連続する高圧搾部２３で囲まれた領域が形成されることがなくなる。従って、エンボス加工時に、エンボス同士の離間部が圧搾力の逃げ道となって圧力が分散されるため、圧搾による表面材の歪みが蓄積されることがなく、表面材の破れやエンボスロールの目詰まりなどが生じなくなり、操業性が向上するようになる。
【００６６】
ところで、本失禁パッド１では、前記高圧搾部２３の加工時に表面材の破れを防止するため、吸収体４の吸収体凹部２０の底部に配置する高吸水性ポリマー８の目付を他の領域の目付より小さくするのが好ましい。この領域に前記高吸水性ポリマー８を多く配置すると、高吸水性ポリマー８によって表面材が破れやすくなるので、ポリマー量を少なくすることによってエンボス加工時の破れのリスクを軽減している。
【００６７】
また、前記高圧搾部２３を付与する際には、エンボスロールに所定パターンのエンボス凸部を設けたものが用いられるが、図８に示されるように、エンボスロールのエンボス凸部は、先端の角部にＲ処理を施したものを用いるのが好ましい。これにより、Ｒ処理を施さない角部のままのものや面取りしたＣ処理したものに比べ、透液性表面シート３の破れが確実に防止できるようになる。
【００６８】
また、前記波状の第１エンボス２４及び第２エンボス２５の溝幅及び深さは、違えてもよいが、幅方向両側からの圧力に対して均等の抵抗力が生じるように、同一にするのが望ましい。
【００６９】
前記凹溝２２は、種々の形態で配置することができる。前記凹溝２２は、図１に示されるように、尿排出部位Ｈに対応するパッド幅方向の中央部であって長手方向の中間部に、１条のみ形成するのが好ましいが、図１３(A)、(B)に示されるように、パッド幅方向に離間して複数条形成してもよいし、同図１３(C)に示されるように、パッド長手方向に離間して不連続線状に形成してもよい。複数条形成した場合には、多くの尿が一気にドッと出たときでも尿の拡散効果をより確実に高めることができるようになる。また、不連続線状に形成した場合には、凹溝２２が幅方向両側から脚圧などの外力を受けたときの潰れがより確実に防止できる。パッド幅方向に離間して複数条形成する場合、同図１３(A)に示す偶数条でもよいし、同図１３(B)に示す奇数条でもよい。
【００７０】
また、前記凹溝２２の平面形状は、図１に示されるように、パッド長手方向に沿って等幅で形成してもよいし、図１４に示されるように、異なる溝幅で形成してもよい。図１４(A)では、凹溝２２のパッド長手方向の前側端部に、溝幅を拡大した拡幅部２２ａを設けている。前記拡幅部２２ａを設けることにより、尿の一時貯留空間が拡大でき、特に切迫性失禁などのように大量の尿が一度にドッと出た場合でも確実に凹溝２２で尿を受け止めることが可能となる。前記拡幅部２２ａは、同図１４(B)に示すようにパッド後側の端部に設けてもよいし、同図１４(C)に示すように前後端部にそれぞれ設けてもよい。
【００７１】
前記凹溝２２は、図１５に示されるように、１又は複数の枝分かれ部２２ｂ、２２ｃを設けてもよい。前記枝分かれ部２２ｂ、２２ｃを設けることにより、凹溝２２に一時貯留された尿が凹溝２２に沿って吸収体４の広い範囲に拡散するようになり、吸収体４のより広い範囲で尿を吸収できるようになる。図１５(A)〜(C)に示される例では、前記枝分かれ部２２ｂとして、パッド長手方向の前側、後側又は前側及び後側のそれぞれに、凹溝２２の両側縁から外側に延びるとともに、パッド長手方向の端部側に傾斜する複数、図示例では左右それぞれ３本ずつ設けられている。また、図１５(D)〜(F)に示される例では、前記枝分かれ部２２ｃとして、パッド長手方向の前端、後端又は前端及び後端のそれぞれに、凹溝２２が放射状に複数に、図示例では５本に枝分かれしたものが設けられている。
【００７２】
なお、予め吸収体４の凹溝２２の形成予定部分に前記吸収体凹部２０を設ける場合、上記凹溝２２の形状に沿って吸収体凹部２０を設けるようにする。
【００７３】
〔他の形態例〕
(1)前記波状の第１エンボス２４は、前記凹溝２２を長手方向に区画した単位区間２６において、溝幅方向に延び溝長手方向に傾斜するとともに、前記凹溝２２の一方側の側端から他方側の側端まで横断して形成され、この単位区間２６を溝長手方向に繰り返し正反転させたパターンで形成されていれば、図９に示されるように、幅方向外側に突出する凸部２４ａ、２４ｂが三角形状に形成されたものや、台形状、四角形状に形成されたものでもよい。
(2)前記第２エンボス２５は、凹溝２２に沿って形成してあれば、図１０に示されるように、平面形状が(A)半円形や(B)三角形などの図形パターンで形成してもよい。また、図１０(A)に示されるように、波状の第１エンボス２４を曲線で形成した場合、この曲線に合わせて前記第２エンボス２５はエンボスの外形線が曲線となる半円形パターンで形成するのが好ましく、同図１０(B)に示されるように、波状の第１エンボス２４を直線のジグザグ線で形成した場合、このジグザグ線に合わせて前記第２エンボス２５はエンボスの外形線が直線となる三角形パターンで形成するのが好ましい。
【符号の説明】
【００７４】
１…失禁パッド、２…不透液性裏面シート、３…透液性表面シート、４…吸収体、７…サイド不織布、８…高吸水性ポリマー、１０…内側立体ギャザー、１１…外側立体ギャザー、１２・１３…糸状弾性伸縮部材、２０…吸収体凹部、２１…エンボス部、２２…凹溝、２３…高圧搾部、２４…第１エンボス、２５…第２エンボス、２６…単位区間
【図１】
2016049199.tif 000003
【図２】
2016049199.tif 000004
【図３】
2016049199.tif 000005
【図４】
2016049199.tif 000006
【図５】
2016049199.tif 000007
【図６】
2016049199.tif 000008
【図７】
2016049199.tif 000009
【図８】
2016049199.tif 000010
【図９】
2016049199.tif 000011
【図１０】
2016049199.tif 000012
【図１１】
2016049199.tif 000013
【図１２】
2016049199.tif 000014
【図１３】
2016049199.tif 000015
【図１４】
2016049199.tif 000016
【図１５】
2016049199.tif 000017